(57)【要約】【課題】収納ラックを左右に横振れさせることなく、安定的にかつ大きな昇降ストロークで昇降させることができる昇降収納装置を提供する。【解決手段】本発明にかかる昇降収納装置１０は、厨房上部に設けられる収納キャビネット１１と、この収納キャビネット１１に収納される収納ラック１２と、この収納ラック１２の両側にそれぞれ設けられたスイングアーム機構２５と、収納ラック１２の背側と収納キャビネット１１の背側との間に揺動自在に設けられた背側リンク機構５７とを備える。背側リンク機構５７は、このリンク機構とスイングアーム機構５７と収納ラック１２と収納キャビネット１１の固定側とからなる三次元４節リンク機構６５の共通リンクを構成したものである。【選択図】  図２
2005261863.tif 000002
【特許請求の範囲】
【請求項１】
厨房上部に設けられる収納キャビネットと、
この収納キャビネットに収納される収納ラックと、
この収納ラックの両側にそれぞれ設けられたスイングアーム機構と、
上記収納ラックの背側と収納キャビネットの背側との間に揺動自在に設けられた背側リンク機構とを備え、
前記背側リンク機構は、このリンク機構とスイングアーム機構と収納ラックと収納キャビネットの固定側とからなる三次元４節リンク機構の共通リンクを構成したことを特徴とする昇降収納装置。
【請求項２】
前記背側リンク機構は、はしご状リンクで構成して収納ラックの背側に設けられ、上記はしご状リンクの回動支点は、スイングアーム機構の基部側回動支点より背側上方に、高さ位置を異にして設けられた請求項１記載の昇降収納装置。
【請求項３】
前記背側リンク機構は、収納キャビネットの取付ブラケット間に設けられる連結ロッドと、前記収納ラックの背側頂部間に設けられる揺動ロッドと、この揺動ロッドと連結ロッドとを一体に連結するブリッジ部材とを有し、上記ブリッジ部材は、前記スイングアーム機構のスイングアームより内側に、スイングアームと非干渉的に設けられた請求項１記載の昇降収納装置。
【請求項４】
前記スイングアーム機構はくの字状あるいはＬ字状の単一のスイングアームを備えた請求項１記載の昇降収納装置。
【請求項５】
前記収納ラックの前面上部を跨ぐようにＭ字状の高さ制限バーを設け、この高さ制限バーは、収納キャビネットの天板に設けられたロック装置を迂回可能に中央部が凹設された請求項１記載の昇降収納装置。
【請求項６】
前記スイングアーム機構の基部側ダンパ受けと、収納キャビネット側に固定されたサポート支柱のダンパ受けとの間に緩衝ユニットを設ける一方、前記スイングアーム機構は、スイングアームの基部側にばね付勢手段を設けたことを特徴とする請求項１記載の昇降収納装置。
【発明の詳細な説明】
【技術分野】
【０００１】
本発明は、収納ラックを昇降自在に支持する昇降収納装置に係り、特に、収納ラックを横振れさせることなく、大きな昇降ストロークで安定的に昇降させ得る昇降収納装置に関する。
【背景技術】
【０００２】
この種の昇降収納装置は、厨房の上部に設けられ、厨房の上部空間を物品の収納空間として利用している。昇降収納装置は、厨房の上部空間に物品を効率よくスムーズに収納させ、厨房上部のデッドスペースを収納スペースとして有効活用し、物品の整理・整頓を図っている。昇降収納装置は、使い勝手を良くするために、収納ラックを収納位置と引出位置との間で昇降自在に支持している。
【０００３】
従来、この種の昇降収納装置として、特開平７−３０３５３６号公報（特許文献１）および特開２００１−１７８５６４号公報（特許文献２）に開示されたものがある。
【０００４】
前者と後者の昇降収納装置は、共に、厨房の上部に設置された収納キャビネット内に収納ラックを収納し、収納ラックの両側に４節リンク機構からなる平行リンク機構をそれぞれ設け、この平行リンク機構を収納キャビネット内下部の支軸廻りに回動自在に支持している。
【０００５】
このため、収納ラックは、平行リンク機構の揺動により、収納キャビネットに収納された収納位置と収納キャビネットから引き出された引出位置との間を揺動自在に昇降ストロークし、収納ラックに収納された物品を下方の引出位置でスムーズに出し入れできるようになっている。
【特許文献１】特開平７−３０３５３６号公報
【特許文献２】特開２００１−１７８５６４号公報
【発明の開示】
【発明が解決しようとする課題】
【０００６】
従来の昇降収納装置は、収納キャビネット内に収納される収納ラックに左右一対の平行リンク機構により、収納ラックを収納位置と引出位置との間で昇降自在となるように保持されているが、各平行リンク機構は各リンクが収納ラック側方の平面内に形成される平面型（２次元）平行リンク機構が用いられる。このため、収納ラックの昇降時に左右の横振れが発生し易く、収納ラックの昇降動作が不安定になり易い。
【０００７】
また、収納ラックの側方に取り付けられる平行リンク機構は、前方リンクと後方リンクが略同一平面内に形成され、両リンクが収納ラックの引出側で互いに干渉するために、収納ラックの昇降ストロークを大きくとることができず、収納ラックへの出し入れに困難性を伴なう。さらに、昇降ストロークを大きくとるようにすると、収納ラックの引出位置において、前方リンクと後方リンクが相互に干渉してストローク規制を行なうため、損傷発生の原因となっている。
【０００８】
さらに、従来の昇降収納装置で収納ラックの昇降ストロークを大きく稼ぐためには、前後方リンクの下部を支持する支軸間に高低差を付ける必要があり、支軸間に大きな高低差を付けると、支軸をサポートする取付座である取付板を大きくしなければならず、コンパクト化が困難で重量増加を招いている。
【０００９】
本発明は、上述した事情を考慮してなされたものであり、収納ラックを左右に横振れさせることなく、安定的にかつ大きな昇降ストロークで昇降させることができる昇降収納装置を提供することを目的とする。
【００１０】
本発明の他の目的は、収納ラックの側方をサポートするスイングアーム機構を左右１本ずつのスイングアームで構成し、スイングアームの基部側支軸をサポートする取付座のコンパクト化が図れ、重量軽減およびコスト低減を図ることができる昇降収納装置を提供することにある。
【課題を解決するための手段】
【００１１】
本発明に係る昇降収納装置は、上述した課題を解決するためになされたもので、請求項１に記載したように、厨房上部に設けられる収納キャビネットと、この収納キャビネットに収納される収納ラックと、この収納ラックの両側にそれぞれ設けられたスイングアーム機構と、上記収納ラックの背側と収納キャビネットの背側との間に揺動自在に設けられた背側リンク機構とを備え、前記背側リンク機構は、このリンク機構とスイングアーム機構と収納ラックと収納キャビネットの固定側とからなる三次元４節リンク機構の共通リンクを構成したものである。
【発明の効果】
【００１２】
本発明に係る昇降収納装置は、収納ラックを左右に横振れさせることなく、安定的にかつ大きな昇降ストロークで円滑かつスムーズに昇降させることができる。
【００１３】
また、この昇降収納装置は、収納ラックの側方をサポートするスイングアーム機構を左右１本ずつのスイングアームで構成し、スイングアームの基部側支軸をサポートする取付座のコンパクト化が図れ、重量軽減およびコスト低減を図ることができる。
【発明を実施するための最良の形態】
【００１４】
本発明に係る昇降収納装置の実施の形態について、添付図面を参照して説明する。
【００１５】
図１ないし図３は、本発明に係る昇降収納装置の一実施形態を示すものであり、この昇降収納装置１０は、建物の厨房上部に据え付けられ、固定設置される。
【００１６】
昇降収納装置１０は、建物の厨房上部に据え付けられるボックス状の収納キャビネット１１を備える。収納キャビネット１１内に物品を出し入れ可能に収納する収納ラック１２を有する。収納ラック１２は収納キャビネット１１の前面開口から昇降自在に出し入れされ、収納キャビネット１１内に収納される収納位置と、収納キャビネット１１から引き出された引出位置との間を昇降自在に支持される。収納キャビネット１１の前面は、両開き（観音開き）タイプの開閉扉（図示せず）で開閉自在に覆われる。
【００１７】
収納ラック１２は、両側板１３，１３と背板１４との間に形成される収納スペース１５を有し、この収納スペース１５に物品を収納するラック籠１６が多段状、例えば２段に横架される。ラック籠１６の前面には落下防止フェンス１７ａ，１７ｂが一体あるいは一体的にそれぞれ立設され、この落下防止フェンス１７ａ，１７ｂにて収納物品が前方から落下するのを防止している。
【００１８】
また、収納ラック１２の前方上部には、一方の側板から他方の側板にかけてＭ字状の高さ制限バー２０が跨るように必要に応じて横架される。高さ制限バー２０は、収納ラック１２の収納状態で収納キャビネット１１の天板１１ａに近接するように位置し、収納される物品の高さ位置を制限している。
【００１９】
高さ制限バー２０の中央部は、収納キャビネット１１の天板１１ａに設けられたロック装置２１を迂回できるように、凹設される。ロック装置２１には地震センサ等の揺れセンサ（図示せず）を内蔵しており、揺れセンサが所要震度以上の地震をキャッチすると、ロックピン２２を突出させ、このロックピン２２が図示しない開閉扉に係合し、開閉扉が開かないようにロックしている。このロック装置２１のロック作動により、収納ラック１２が収納キャビネット１１から前方に飛び出すのを防止している。なお、符号２３は操作用の取手であり、この取手２３により収納ラック１２の引出操作や収納操作が行なわれる。
【００２０】
また、図２および図３に示すように、収納ラック１２の側方に左右一対のスイングアーム機構２５が設けられる。スイングアーム機構２５はく字状あるいはＬ字状の単一なスイングアームあるいはスイングフレーム２６を左右１本ずつ有し、スイングアーム２６の基部は、収納キャビネット１１の取付座２７に設けられた支軸２８廻りに回動自在に支持される。アーム先端部は収納ラック１２の側板１３に設けられた取付座２９の支軸３０廻りに回動自在に支持される。スイングアーム２６は収納ラック１２の左右両側に１本ずつ設ければよいので、取付座２７を小形状でコンパクト化することができ、取付座の重量軽減、コスト低減を図ることができる。
【００２１】
収納キャビネット１１の取付座２７は、全体的に略矩形形状に形成され、キャビネット内側壁に固定される断面コ字状の取付ベース３３と、断面コ字状の取付板３４とを向い合せて組み合せ、一対的に構成される。この取付座２７の取付板３４には、スイングアーム２６の下部側支軸２８である支持シャフトを支持するシャフト受け部材３５が設けられる。取付板３４とシャフト受け部材３５により支持される支持シャフト２８にばね付勢手段３６が設けられる。
【００２２】
ばね付勢手段３６は、互いに反対方向に巻装された複数、例えば２個の渦巻ばね３７で構成される。収納ラック１２の左右に互いに反対方向に巻装された渦巻ばね３７を、例えば２個ずつ備えることにより、収納ラック１２は収納位置および引出位置に強いばね力で安定的に保持される。
【００２３】
ばね付勢手段３６である渦巻ばね３７のばね力は、ばね力調整機構４０により調節される。このばね力調整機構４０は、取付座２７に設けられ、取付座２７にスライド自在に支持された調整ロッド４１によりスライド調整される。２個の渦巻ばね３７の代りに、ダブルトーションばねを用いてもよい。
【００２４】
また、取付座２７の背側にサポート支柱４４が固定される。サポート支柱４４はスイングアーム２６より背側の取付板３４に取り付けられ、サポート支柱４４の下部にスイングアーム２６引出時のストッパ４５が設けられる。スイングアーム２６は引出時にアーム後端部がストッパ４５に係合して引出位置が規制されるようになっている。ストッパ４５は上下位置が調整可能となるように設けてもよく、ストッパ位置の調整により、スイングアーム２６の引出位置を調節することができる。
【００２５】
さらに、取付座２７の取付板３４の下部前側にスイングアーム収納時のストッパ４６が設けられる。このストッパ４６にスイングアーム２６の下端部前側が係合することにより、スイングアーム２６は収納位置で立設状態に格納される。スイングアーム２６は、収納位置をとるとき、アーム先端側が、アーム基部側の支軸２８を通る垂直線ａより背側に位置され、スイングアーム２６は立設状態に安定的に保持される。
【００２６】
さらに、スイングアーム２６のアーム先端部を軸支する取付座２９は、矩形プレート状の取付板４７で構成され、この取付板４７は収納ラック１２の側板１３から突出する補強リブ４８内に収納され、締付ねじ等の締結手段４９で締着される。このため、昇降収納装置１０の組付時に取付座２９の取付板４７を補強リブ４８により仮置きさせることができる。補強リブ４８は、取付板４７とほぼ面一に設けられ、かつ取付板４７の全周に沿って設けられる。補強リブ４８は取付板４７の少なくとも上側、好ましくは下方を除く三側方に設けてもよい。
【００２７】
また、取付座３４の背側に固定されたサポート支柱４４には、途中に背側に突出する取付ブラケット５０が設けられる。サポート支柱４４の頂部には前側に突出する取付ブラケット５１が設けられ、この取付ブラケット５１がダンパ受けを形成している。
【００２８】
サポート支柱４４頂部のダンパ受け５１と、スイングアーム２６の基部側支軸２８部分より側方（背側）に突出するダンパ受け５２との間に、緩衝ユニットとしてガスダンパ５５が設けられる。このガスダンパ５５により、収納ラック１２は収納位置から引出位置への移動や引出位置から収納位置への移動に緩衝作用を付与し、衝突を和らげることができる。ガスダンパ５５に代えてオイルダンパ等の他のサスペンションユニットを設けてもよい。
【００２９】
さらに、図３に示すように、左右のサポート支柱４４の取付ブラケット５０，５０間および収納ラック１２の背側頂部の取付ブラケット５６，５６間を跨ぐようにはしご状背側リンク機構５７が揺動自在に設けられる。
【００３０】
この背側リンク機構５７は、左右のサポート支柱４４，４４の取付ブラケット５０，５０間に軸受け５８を介して回転自在に横架される連結ロッドあるいはフレーム６０と、収納ラック１２の取付ブラケット５６，５６間に軸受け６１を介して横架される揺動ロッドあるいはフレーム６２と、連結ロッド６０および揺動ロッド６２とを一体に連結する複数のブリッジロッドあるいはフレーム６４とを備える。各ブリッジロッド６４，６４は連結ロッド６０と揺動ロッド６２とを平行に連結するブリッジ部材であり、各ブリッジロッド６４はハの字状あるいは逆ハの字状に連結してもよい。
【００３１】
しかして、揺動リンク機構５７は、収納ラック１２の背側に例えばはしご状リンクを形成しており、このはしご状リンクと収納ラック１２と、スイングアーム２６とスイングアーム２６の基部側支軸２８からサポート支柱４４の取付ブラケット５０に至る収納キャビネット１１の固定側とにより、立体的な三次元４節リンク機構６５を構成している。この三次元（立体的）４節リンク機構６５により、収納ラック１２は、サポート支柱４４の取付ブラケット５０およびスイングアーム２６の基部側支軸２８廻りに、横振れすることなく安定的に揺動して昇降するようになっており、その昇降ストロークは、スイングアーム２６が収納ストッパ４６および引出時ストッパ４５に選択的に当接することにより、定められる。
【００３２】
また、背側リンク機構５７は、収納ラック１２の左右に形成される三次元４節リンク機構６５の共通リンクを構成している。
【００３３】
その際、背側リンク機構５７のブリッジロッド６４は、図３に示すように、スイングアーム２６の内側に非干渉的に配設されるので、収納ラック１２が如何なる位置をとっても、スイングアーム２６と背側リンク機構５７が相互に干渉するのを有効かつ確実に防止することができる。
【００３４】
さらに、背側リンク機構５７の回動支点Ｏ１は、図１に示すように、スイングアーム２６の基部側回動支点Ｏ２より背側上方に位置する。背側リンク機構５７の回動支点Ｏ１は、スイングアーム２６の基部側回動支点Ｏ２より、スイングアーム２６全長の１／５〜２／５、例えば１／３程度離れた上方に位置し、両回動支点Ｏ１，Ｏ２の高さ位置を異にするので、収納ラック１２の昇降ストロークを大きくとることができる。背側リンク機構５７は、収納ラック１２の引出位置において、図２に示すように、前方に下り傾斜させても、スイングアーム２６との干渉を確実に防止できる。
【００３５】
また、スイングアーム２６はくの字状あるいはＬ字状に形成されているので、スイングアーム２６をストレートに形成したものに較べ、昇降ストロークをより一層大きくとることができる。スイングアーム２６は収納ラック１２の引出位置において、前方に下り傾斜させるように、ストッパ４５の位置を調節してもよい。
【００３６】
さらに、収納ラック１２の昇降ストロークを大きくとっても、背側リンク機構５７がスイングアーム２６と干渉するのを確実にかつ有効的に防止できるので、収納ラック１２は収納位置と引出位置との間を左右に横振れすることなく、安定的にかつスムーズに昇降させることができる。
【００３７】
さらに、収納ラック１２は、スイングアーム２６の基部側に設けられたばね付勢手段３６のばね力と緩衝ユニットとしてのガスダンパ５５のダンパ力（緩衝力）の協動作用により、収納ラック１２を引き出したり、収納させる操作を円滑かつスムーズに行なうことができる。特に、ばね付勢手段３６として互いに反対方向に巻装された渦巻きばね３７，３７を用いたり、ダブルトーションばねを用いることにより、収納ラック１２を円滑かつスムーズに引き出したり、収納させることができ、ガスダンパ５５により、収納ラック１２に大きな衝撃力が作用するのを未然に防止できる。
【００３８】
なお、図１および図３において、符号６８は樹脂製の目隠しカバーであり、この目隠しカバー６８は、収納ラック１２の前面側の左右に、側外方に突出するように設けられ、スイングアーム機構２５が前面側に露出するのを防止し、昇降収納装置１０の美的外観を向上させている。
【００３９】
また、背側リンク機構５７の揺動ロッド６２は、図４（Ａ）および（Ｂ）に示すように、取付ブラケット５６に樹脂製の軸受６１を介して回動自在に支持される。取付ブラケット５６は平断面Ｌ字状に折曲して形成される補強金具を兼ねており、収納ラック１２の背板１４および側板１３，１３に締着される。符号７１は例えばＥ型の止めリングである。
【００４０】
さらに、背側リンク機構５７の連結ロッド６０は、図５（Ａ）および（Ｂ）に示すように、サポート支柱４４の取付ブラケット５０に、樹脂製軸受け５８を介して回動自在に設けられる。
【００４１】
次に、昇降収納装置１０の作用を説明する。
【００４２】
この昇降収納装置１０は、不使用時には収納キャビネット１１内に収納ラック１２が格納され、収納ラック１２内に物品が収納された状態で厨房上方のスペースに昇降収納装置１０が据え付けられる。
【００４３】
昇降収納装置１０を使用して昇降操作させる場合には、収納キャビネット１１の前面を覆う開閉扉を開放し、収納ラック１２前方下部の取手２３を把んで収納ラック１２を収納位置から引き出すように引出操作を行なう。
【００４４】
収納ラック１２の引出操作により、三次元（立体的）４節リンク機構６５は、背側リンク機構５７の回動支点Ｏ１およびスイングアーム２６の基部側支点Ｏ２廻りに、図２において時計方向に回動し、下降して引き出される。収納ラック１２は、スイングアーム２６の下端のブラケット状ストッパが引出時ストッパ４５に当接するまで下降し、引出時ストッパ４５に当接して、収納ラック１２の下降位置が定められる。この位置が、収納ラック１２の引出位置となる。
【００４５】
この収納ラック１２の引出しの際、収納ラック１２は左右の三次元４節リンク機構６５に案内されて引き出されるので、収納ラック１２は左右方向の横振れもなく、安定的かつスムーズに引き出される。したがって、収納ラック１２に収納された物品が引出途中で落下したり、横移動するのを有効的に防止できる。
【００４６】
また、収納ラック１２の引出時には、背側リンク機構５７の回動支点Ｏ１が、スイングアーム機構２５の基部側支点Ｏ２より、後上方に位置し、両支点Ｏ１，Ｏ２間の高さ位置を異にするので、収納ラック１２の昇降ストロークを大きくとることができる。さらに、スイングアーム機構２５のスイングアーム２６はＬ字状あるいはくの字状に形成されているので、昇降ストロークをより一層大きくとることができる。
【００４７】
その際、スイングアーム機構２５のスイングアーム２６が、背側リンク機構５７のブリッジロッド６４と干渉したり、衝突するのを確実に防止できるので、収納ラック１２の昇降を円滑かつスムーズに、行なうことができる。
【００４８】
また、収納ラック１２の引出時には、スイングアーム機構２５に設けられたばね付勢手段３６のばね力と、緩衝ユニットとしてのガスダンパ５５のダンパ作用が協働して緩衝作用するので、収納ラック１２の昇降動作がより一層円滑かつスムーズになる。
【００４９】
収納ラック１２は引出位置で物品の出し入れが行なわれる。収納ラック１２で物品を収納させた後、収納ラック１２の前方下部の取手２３を握って持ち上げることにより、収納ラック１２は、ばね付勢手段３６のばね力の助けを受けてスムーズに持ち上げ、収納キャビネット１１内の収納位置に納めることができる。
【００５０】
収納ラック１２は収納キャビネット１１内に収納された状態で、収納ラック１２の重量を主にサポートするスイングアーム機構２５の単一のスイングアーム２６は、背側に少し傾斜するようにして納められる。したがって、収納ラック１２は、収納キャビネット１１内に安定的に収納でき、収納ラック１２の飛び出しを有効的に防止できる。
【００５１】
また、地震等が発生した場合には、ロック装置２１の地震センサ（揺れ感知センサ）が地震の揺れを感知し、所定以上の揺れが発生すると、ロック装置２１が作動してロックピン２２を突出させる。このロックピン２２の突出により、図示しない開閉扉と係合し、この開閉扉が開かないようにロックさせる。
【００５２】
このロック装置２１により、開閉扉を開かないようにロックさせることにより、収納ラック１２が地震時に前方に飛び出すのを確実にかつ未然に防止できる。したがって、地震発生時に、収納ラック１２が前方に突出するのを確実に防止でき、収納ラック１２内に収納されている物品が落下するのを未然に防止することができる。
【図面の簡単な説明】
【００５３】
【図１】本発明に係る昇降収納装置の一実施形態を示す正面図。
【図２】本発明に係る昇降収納装置の一実施形態を示す側面図。
【図３】本発明に係る昇降収納装置の一実施形態を示すもので、収納キャビネットを取り除いて示す背面図。
【図４】（Ａ）および（Ｂ）は、昇降収納装置に備えられる背側リンク機構の揺動ロッドの支持部を後方および側方からそれぞれ見た部分図。
【図５】（Ａ）および（Ｂ）は、上記背側リンク機構の連結ロッドの支持部を後方および側方からそれぞれ見た部分図。
【符号の説明】
【００５４】
１０  昇降収納装置
１１  収納キャビネット
１２  収納ラック
１３  側板
１４  背板
１５  収納スペース
１６  ラック籠
１７ａ，１７ｂ  落下防止フェンス
２０  高さ制限バー
２１  ロック装置
２２  ロックピン
２３  取手
２５  スイングアーム機構
２６  スイングアーム（スイングフレーム）
２７  取付座
２８，３０  支軸（支持シャフト）
２９  取付座
３３  取付ベース
３４  取付板
３５  シャフト受け部材
３６  ばね付勢手段
３７  渦巻きばね
４０  ばね力調整機構
４１  調整ロッド
４４  サポート支柱
４５，４６  ストッパ
４７  取付板
５０  取付ブラケット
５１  取付ブラケット（ダンパ受け）
５２  ダンパ受け
５５  ガスダンパ（緩衝ユニット）
５６  取付ブラケット
５７  背側リンク機構
５８  軸受け
６０  連結ロッド（連結フレーム）
６１  軸受け
６２  揺動ロッド（揺動フレーム）
６４  ブリッジロッド（ブリッジフレーム）
６５  三次元（立体的）４節リンク機構
【図１】
2005261863.tif 000003
【図２】
2005261863.tif 000004
【図３】
2005261863.tif 000005
【図４】
2005261863.tif 000006
【図５】
2005261863.tif 000007